【手続補正書】
【提出日】平成29年3月9日(2017.3.9)
【手続補正１】
【補正対象書類名】明細書
【補正対象項目名】０１４１
【補正方法】変更
【補正の内容】
【０１４１】
項目３７は、前記構造化表面が、少なくとも２、又は少なくとも３、又は少なくとも４、又は少なくとも５の４０度の照射角における均一性指数を提供する、項目３１に記載の物品である。本発明の実施態様の一部を以下の態様［１］−［３７］に記載する。
［態様１］
面内軸を有する基準面を画定する構造化表面を有する物品であって、該構造化表面は、複数のタイル内に配置された複数のキューブコーナー配列を含み、該物品は、
それぞれ第１、第２、及び第３のキューブコーナー配列によって画定される、第１、第２、及び第３のタイルであって、該第１、第２、及び第３のキューブコーナー配列は、それぞれの第１、第２、及び第３の照射角の１次平面を有し、該１次平面のそれぞれは、該面内軸に対して異なる向きに向いている、第１、第２、及び第３のタイルを備え、
該第１、第２、及び第３のタイルはそれぞれ、該面内軸に平行な１つのタイルの縁部を含み、
該第１、第２、及び第３のキューブコーナー配列のそれぞれは、該面内軸に平行な１つの所与の溝を含む、物品。
［態様２］
前記第１、第２、及び第３のタイルはそれぞれ、前記面内軸に平行に伸長している、態様１に記載の物品。
［態様３］
前記第１、第２、及び第３のタイルのそれぞれについて、前記所与の溝は、長さ方向の溝のピッチを画定する複数の長さ方向の溝のうちの１つであり、前記第１、第２、及び第３のタイルのそれぞれは、該それぞれの長さ方向の溝のピッチの整数倍に等しい幅を有する、態様１に記載の物品。
［態様４］
前記第１、第２、及び第３のタイルの前記幅はそれぞれ、０．２ｍｍ〜５ｍｍ、又は０．２ｍｍ〜１ｍｍ、又は０．５ｍｍ〜１ｍｍの範囲内にある、態様３に記載の物品。
［態様５］
前記複数のタイルは、前記第１、第２、及び第３のタイル以外の追加のタイルを含み、該追加のタイルは、対応する追加のキューブコーナー配列を有し、該追加のキューブコーナー配列の全ては、前記面内軸に平行な１つの所与の溝を含む、態様１に記載の物品。
［態様６］
前記第１、第２、及び第３のキューブコーナー配列のそれぞれにおけるキューブコーナーは、基部角度の順序付きセットを有する基部三角形によって、傾けられ、かつ特徴付けられ、前記第１及び第２のキューブコーナー配列についての該基部角度の順序付きセットは、互いに等しく、前記第１及び第３のキューブコーナー配列についての該基部角度の順序付きセットは、互いの並べ替えである、態様１に記載の物品。
［態様７］
前記第１、第２、及び第３のキューブコーナー配列のそれぞれにおけるキューブコーナーは、基部角度の順序付きセットを有する基部三角形によって、傾けられ、かつ特徴付けられ、前記第１、第２、及び第３のキューブコーナー配列についての該基部角度の順序付きセットは、互いに等しい、態様１に記載の物品。
［態様８］
前記複数のタイルは、第４のキューブコーナー配列によって画定される第４のタイルを更に含み、該第４のキューブコーナー配列は、前記第１、第２、又は第３の照射角の１次平面のいずれにも平行ではない、第４の照射角の１次平面を有し、該第４のキューブコーナー配列中のキューブコーナーは、前記第１のキューブコーナー配列についての基部角度の順序付きセットの並べ替えである、該基部角度の順序付きセットを有する基部三角形によって、傾けられ、かつ特徴付けられる、態様７に記載の物品。
［態様９］
前記第４のタイルは、前記面内軸に平行に伸長し、前記第４のキューブコーナー配列は、前記面内軸に平行な１つの長さ方向の溝を含む、態様８に記載の物品。
［態様１０］
前記複数のキューブコーナー配列における前記キューブコーナー配列の全ては、それぞれの照射角の１次平面を有し、該照射角の１次平面は、前記面内軸に対して少なくとも４つの特有の向きを画定する、態様１に記載の物品。
［態様１１］
前記少なくとも４つの特有の向きに関連した前記キューブコーナー配列はそれぞれ、前記面内軸に平行な１つの長さ方向の溝を含み、それぞれの基部角度の順序付きセットによって特徴付けられ、かかる基部角度の順序付きセットのどの２つも、互いに等しいか、又は互いの並べ替えかのいずれかである、態様１０に記載の物品。
［態様１２］
前記照射角の１次平面は、前記面内軸に対して少なくとも５つの特有の向きを画定する、態様１０に記載の物品。
［態様１３］
前記少なくとも５つの特有の向きに関連した前記キューブコーナー配列は、それぞれの基部角度の順序付きセットによって特徴付けられ、かかる基部角度の順序付きセットのどの２つも、互いに等しいか、又は互いの並べ替えかのいずれかである、態様１２に記載の物品。
［態様１４］
前記照射角の１次平面は、前記面内軸に対して少なくとも６つの特有の向きを画定する、態様１２に記載の物品。
［態様１５］
前記少なくとも６つの特有の向きに関連した前記キューブコーナー配列は、それぞれの基部角度の順序付きセットによって特徴付けられ、かかる基部角度の順序付きセットのどの２つも、互いに等しいか、又は互いの並べ替えかのいずれかである、態様１４に記載の物品。
［態様１６］
前記第１及び第２のタイルは、境界に沿って接するタイルの縁部を有し、該境界の近傍の前記第１のタイル上のキューブコーナーの列の小面と、該境界の近傍の前記第２のタイル上のキューブコーナーの列の小面とは、集合的に複合溝を形成し、該複合溝は、前記面内軸に平行である、態様１に記載の物品。
［態様１７］
前記複合溝は、前記第１のキューブコーナー配列の前記所与の溝の溝角度とは異なり、前記第２のキューブコーナー配列の前記所与の溝の溝角度とも異なる、複合溝角度を有する、態様１６に記載の物品。
［態様１８］
前記構造化表面は、少なくとも４、又は少なくとも５、又は少なくとも６の３０度の照射角における均一性指数を提供する、態様１に記載の物品。
［態様１９］
前記構造化表面は、少なくとも２、又は少なくとも３、又は少なくとも４、又は少なくとも５の４０度の照射角における均一性指数を提供する、態様１に記載の物品。
［態様２０］
対応する複数のタイル内に配置された複数のキューブコーナー配列を含む構造化表面を有する物品であって、該構造化表面は、面内軸を有する基準面を画定し、該複数のタイルのそれぞれに対する該キューブコーナー配列は、溝が該面内軸に平行に延在する所与の溝セットを有し、該複数のタイルのそれぞれに対する該キューブコーナー配列は、それに関連した傾斜平面及び照射角の１次平面を有し、該複数のタイルに対する該照射角の１次平面の特有のものは、該傾斜平面の特有のものよりも方位角においてより均一に分布している、物品。
［態様２１］
前記照射角の１次平面の前記特有のものは、最小の角度分離ＰｈｉＭｉｎ１を有し、前記傾斜平面の前記特有のものは、最小の角度分離ＰｈｉＭｉｎ２を有し、ＰｈｉＭｉｎ１は、ＰｈｉＭｉｎ２よりも大きい、態様２０に記載の物品。
［態様２２］
ＰｈｉＭｉｎ１は、ＰｈｉＭｉｎ２の少なくとも２倍である、態様２０に記載の物品。
［態様２３］
前記タイルは、０．２ｍｍ〜５ｍｍの範囲内にあるそれぞれの幅を有する、態様２０に記載の物品。
［態様２４］
それぞれのタイルに対する前記所与の溝セットは、かかるタイルに対する長さ方向の溝セットである、態様２０に記載の物品。
［態様２５］
前記構造化表面は、前記キューブコーナー配列のうちＮ個の特有のものにそれぞれ関連するＮ個の特有の照射角の１次平面を有し、Ｎは、４、５、又は６である、態様２０に記載の物品。
［態様２６］
前記複数のタイルは、それぞれ第１、第２、及び第３の傾斜したキューブコーナーの配列を備える、第１、第２、及び第３のタイルを含み、該第１、第２、及び第３の配列は、それに関連した、どの２つも互いに平行ではない、それぞれ第１、第２、及び第３の傾斜平面を有する、態様２０に記載の物品。
［態様２７］
前記第１、第２、及び第３の配列のそれぞれに対して、前記所与の溝セットは、長さ方向の溝のピッチを画定する長さ方向の溝セットであり、前記第１、第２、及び第３のタイルのそれぞれは、該それぞれの長さ方向の溝のピッチの整数倍に等しい幅を有する、態様２６に記載の物品。
［態様２８］
前記構造化表面は、少なくとも４、又は少なくとも５、又は少なくとも６の３０度の照射角における均一性指数を提供する、態様２０に記載の物品。
［態様２９］
前記構造化表面は、少なくとも２、又は少なくとも３、又は少なくとも４、又は少なくとも５の４０度の照射角における均一性指数を提供する、態様２０に記載の物品。
［態様３０］
前記複数のタイルはそれぞれ、前記面内軸に平行に伸長している、態様２０に記載の物品。
［態様３１］
構造化表面を有する物品であって、該構造化表面は、複数のタイルに分割され、該物品は、
それぞれ第１、第２、及び第３の傾斜したキューブコーナーの配列を備える、第１、第２、及び第３のタイルであって、該第１、第２、及び第３の配列は、それに関連した、どの２つも互いに平行ではない、それぞれ第１、第２、及び第３の傾斜平面を有している、第１、第２、及び第３のタイルを備え、
該第１、第２、及び第３の配列におけるキューブコーナーは、それぞれ第１、第２、及び第３の基部角度の順序付きセットを有する基部三角形によって特徴付けられ、
該第１及び第２の基部角度の順序付きセットは、互いに等しく、
該第１及び第３の基部角度の順序付きセットは、互いの並べ替えである、物品。
［態様３２］
前記第１、第２、及び第３の配列のそれぞれは、溝セットを有し、該溝セットの溝は、前記配列のそれぞれのタイルの縁部に平行に延在する、態様３１に記載の物品。
［態様３３］
前記第１、第２、及び第３の配列のそれぞれは、互いに交差してキューブコーナーを形成する平行な溝の３つのセットによって画定される、態様３１に記載の物品。
［態様３４］
傾斜したキューブコーナーの第４の配列を備える第４のタイルであって、該第４の配列は、それに関連した、前記第１、第２、又は第３の傾斜平面のいずれにも平行ではない第４の傾斜平面を有している、第４のタイルを更に備える、態様３１に記載の物品。
［態様３５］
前記第４の配列は、第４の基部角度の順序付きセットを有する基部三角形によって特徴付けられ、該第４の基部角度の順序付きセットは、第３の基部角度の順序付きセットと同一である、態様３４に記載の物品。
［態様３６］
前記構造化表面は、少なくとも４、又は少なくとも５、又は少なくとも６の３０度の照射角における均一性指数を提供する、態様３１に記載の物品。
［態様３７］
前記構造化表面は、少なくとも２、又は少なくとも３、又は少なくとも４、又は少なくとも５の４０度の照射角における均一性指数を提供する、態様３１に記載の物品。
【手続補正２】
【補正対象書類名】特許請求の範囲
【補正対象項目名】全文
【補正方法】変更
【補正の内容】
【特許請求の範囲】
【請求項１】
面内軸を有する基準面を画定する構造化表面を有する物品であって、該構造化表面は、複数のタイル内に配置された複数のキューブコーナー配列を含み、該物品は、
それぞれ第１、第２、及び第３のキューブコーナー配列によって画定される、第１、第２、及び第３のタイルであって、該第１、第２、及び第３のキューブコーナー配列は、それぞれの第１、第２、及び第３の照射角の１次平面を有し、該１次平面のそれぞれは、該面内軸に対して異なる向きに向いている、第１、第２、及び第３のタイルを備え、
該第１、第２、及び第３のタイルはそれぞれ、該面内軸に平行な１つのタイルの縁部を含み、
該第１、第２、及び第３のキューブコーナー配列のそれぞれは、該面内軸に平行な１つの所与の溝を含む、物品。
【請求項２】
前記第１、第２、及び第３のタイルのそれぞれについて、前記所与の溝は、長さ方向の溝のピッチを画定する複数の長さ方向の溝のうちの１つであり、前記第１、第２、及び第３のタイルのそれぞれは、該それぞれの長さ方向の溝のピッチの整数倍に等しい幅を有する、請求項１に記載の物品。
【請求項３】
前記第１、第２、及び第３のキューブコーナー配列のそれぞれにおけるキューブコーナーは、基部角度の順序付きセットを有する基部三角形によって、傾けられ、かつ特徴付けられ、前記第１及び第２のキューブコーナー配列についての該基部角度の順序付きセットは、互いに等しく、前記第１及び第３のキューブコーナー配列についての該基部角度の順序付きセットは、互いの並べ替えである、請求項１に記載の物品。
【請求項４】
前記第１、第２、及び第３のキューブコーナー配列のそれぞれにおけるキューブコーナーは、基部角度の順序付きセットを有する基部三角形によって、傾けられ、かつ特徴付けられ、前記第１、第２、及び第３のキューブコーナー配列についての該基部角度の順序付きセットは、互いに等しい、請求項１に記載の物品。
【請求項５】
前記複数のタイルは、第４のキューブコーナー配列によって画定される第４のタイルを更に含み、該第４のキューブコーナー配列は、前記第１、第２、又は第３の照射角の１次平面のいずれにも平行ではない、第４の照射角の１次平面を有し、該第４のキューブコーナー配列中のキューブコーナーは、前記第１のキューブコーナー配列についての基部角度の順序付きセットの並べ替えである、該基部角度の順序付きセットを有する基部三角形によって、傾けられ、かつ特徴付けられる、請求項４に記載の物品。
【請求項６】
前記第１及び第２のタイルは、境界に沿って接するタイルの縁部を有し、該境界の近傍の前記第１のタイル上のキューブコーナーの列の小面と、該境界の近傍の前記第２のタイル上のキューブコーナーの列の小面とは、集合的に複合溝を形成し、該複合溝は、前記面内軸に平行である、請求項１に記載の物品。
【請求項７】
対応する複数のタイル内に配置された複数のキューブコーナー配列を含む構造化表面を有する物品であって、該構造化表面は、面内軸を有する基準面を画定し、該複数のタイルのそれぞれに対する該キューブコーナー配列は、溝が該面内軸に平行に延在する所与の溝セットを有し、該複数のタイルのそれぞれに対する該キューブコーナー配列は、それに関連した傾斜平面及び照射角の１次平面を有し、該複数のタイルに対する該照射角の１次平面の特有のものは、該傾斜平面の特有のものよりも方位角においてより均一に分布している、物品。
【請求項８】
前記照射角の１次平面の前記特有のものは、最小の角度分離ＰｈｉＭｉｎ１を有し、前記傾斜平面の前記特有のものは、最小の角度分離ＰｈｉＭｉｎ２を有し、ＰｈｉＭｉｎ１は、ＰｈｉＭｉｎ２よりも大きい、請求項７に記載の物品。
【請求項９】
前記構造化表面は、少なくとも４、又は少なくとも５、又は少なくとも６の３０度の照射角における均一性指数を提供する、請求項７に記載の物品。
【請求項１０】
構造化表面を有する物品であって、該構造化表面は、複数のタイルに分割され、該物品は、
それぞれ第１、第２、及び第３の傾斜したキューブコーナーの配列を備える、第１、第２、及び第３のタイルであって、該第１、第２、及び第３の配列は、それに関連した、どの２つも互いに平行ではない、それぞれ第１、第２、及び第３の傾斜平面を有している、第１、第２、及び第３のタイルを備え、
該第１、第２、及び第３の配列におけるキューブコーナーは、それぞれ第１、第２、及び第３の基部角度の順序付きセットを有する基部三角形によって特徴付けられ、
該第１及び第２の基部角度の順序付きセットは、互いに等しく、
該第１及び第３の基部角度の順序付きセットは、互いの並べ替えである、物品。